(57)【特許請求の範囲】
【請求項１】
上方が開口した箱状の収納本体と、前記収納本体の内部に配設された板状の仕切り部材とを備えたティッシュ箱を収納するための収納ケースであって、
前記収納本体の側壁は、高さ寸法の相対的に高い互いにほぼ平行な１組の側壁と、高さ寸法の相対的に低い互いにほぼ平行な別の１組の側壁とからなり、
前記仕切り部材は、高い方の前記側壁とほぼ平行に配設されており、
低い方の前記側壁のそれぞれの内壁には、前記仕切り部材の側縁部を保持しうる複数の溝部が上下方向に形成されており、
低い方の前記１組の側壁間の距離は、前記ティッシュ箱の底面短辺の長さよりも長く、かつ、前記ティッシュ箱の底面長辺の長さよりも短い、
ことを特徴とする収納ケース。
【請求項２】
前記仕切り部材は、上面視形状が湾曲した形状である請求項１に記載の収納ケース。
【請求項３】
高い方の前記側壁の高さは、前記ティッシュ箱の上面短辺からティッシュの取り出し口までの距離より短く、かつ、
高い方の前記側壁の高さと低い方の前記側壁の高さとの差は、前記ティッシュ箱の上面長辺からティッシュの取り出し口までの距離より短い、請求項１又は２に記載の収納ケース。
【請求項４】
前記収納本体を支持し、かつ、壁面に着脱可能な壁面用取付部材を更に備える請求項１〜３のいずれかに記載の収納ケース。
【発明の詳細な説明】
【技術分野】
【０００１】
本発明は、収納ケースに関する。具体的には、ティッシュ箱を収納することができる収納ケースに関する。
【背景技術】
【０００２】
ティッシュ箱の収納ケースとしては、例えば、上面にティッシュを取り出すための開口が形成された箱状の収納ケースが知られている。
一方、ティッシュ箱は、通常、上面にティッシュの取り出し口が設けられた直方体形状の箱である。このようなティッシュ箱としては、近年、高さ寸法の比較的小さいコンパクトタイプのティッシュ箱や、機能性ティッシュを収納した高さ寸法の比較的大きいティッシュ箱など、様々なサイズのティッシュ箱が流通している。
そのため、従来の箱状の収納ケースでは、ティッシュ箱が入らなかったり、ティッシュ箱が安定して収納されず、収納ケース内で移動したりすることがあり、１つの収納ケースで異なるサイズのティッシュ箱を安定して収納することは難しかった。
【０００３】
ティッシュ箱の収納ケースとして、特許文献１には、方形の底面部と４面の側面部とからなる上面が開口された収納ボックスと、この収納ボックスの内部に配設される仕切りとを備え、上記側面部の一つにティッシュ取り出し口が設けられたティッシュ箱の収納ケースが提案されている。この収納ケースは、仕切りの位置を調節することができるように構成されている。そのため、この収納ケースでは、仕切りの位置を収納するティッシュ箱の高さ寸法に合わせて調節することにより、ティッシュ箱を安定して収納することができる。
【先行技術文献】
【特許文献】
【０００４】
【特許文献１】実用新案登録第３１６３６３２号公報
【発明の概要】
【発明が解決しようとする課題】
【０００５】
特許文献１に記載されたティッシュ箱の収納ケースでは、ティッシュ箱を横向きにしか収納することができず、使用場所等によっては使用しづらいことがあった。
【０００６】
本発明は、このような実状に鑑み、ティッシュ箱を縦向きであっても、横向きであっても安定して収納することができる収納ケースを提供することを目的とする。
【課題を解決するための手段】
【０００７】
本発明の収納ケースは、上方が開口した箱状の収納本体と、上記収納本体の内部に配設された板状の仕切り部材とを備えたティッシュ箱を収納するための収納ケースであって、
上記収納本体の側壁は、高さ寸法の相対的に高い互いにほぼ平行な１組の側壁と、高さ寸法の相対的に低い互いにほぼ平行な別の１組の側壁とからなり、
上記仕切り部材は、高い方の上記側壁とほぼ平行に配設されており、
低い方の上記側壁のそれぞれの内壁には、上記仕切り部材の側縁部を保持しうる複数の溝部が上下方向に形成されており、
低い方の上記１組の側壁間の距離は、上記ティッシュ箱の底面短辺の長さよりも長く、かつ、上記ティッシュ箱の底面長辺の長さよりも短い、ことを特徴とする。
【０００８】
このような収納ケースでは、ティッシュ箱を縦向きであっても、横向きであっても安定して収納することができる。
具体的には、仕切り部材の配設位置（仕切り部材と高い方の側壁との距離）をティッシュ箱の高さ寸法に合わせて調節し、ティッシュ箱を縦向きに収納する場合には、ティッシュ箱の小さい方の側面を収納本体の底板で支持し、ティッシュ箱を横向きに収納する場合には、ティッシュ箱の大きい方の側面を収納本体の低い方の側壁の上面で支持することにより、ティッシュ箱を安定して収納することができる。
【０００９】
上記収納ケースにおいて、上記仕切り部材は、上面視形状が湾曲した形状であることが好ましい。
この場合、収納本体の収納領域側に、湾曲した仕切り部材の凸の面が向くように仕切り部材を配設することにより、収納されたティッシュ箱を仕切り部材で側壁側に押し付けることができる。そのため、収納本体内において、収納されたティッシュ箱が動きにくくなり、より安定してティッシュ箱を収納することができる。
【００１０】
上記収納ケースにおいて、高い方の上記側壁の高さは、上記ティッシュ箱の上面短辺からティッシュの取り出し口までの距離より短く、かつ、
高い方の上記側壁の高さと低い方の上記側壁の高さとの差は、上記ティッシュ箱の上面長辺からティッシュの取り出し口までの距離より短い、ことが好ましい。
この場合、ティッシュ箱を縦向きに収納した場合にも、横向きに収納した場合にもティッシュ箱の取り出し口が、収納本体の側壁で塞がれることがない。また、側壁にティッシュの取り出し口を設ける必要もない。
そのため、使用中のティッシュ箱であっても、容易にティッシュ箱自体を取り出すことができる。
従って、特許文献１に記載されたティッシュ箱では、側面部に設けられた取り出し口を介してティッシュを取り出すため、使用中のティッシュ箱を収納ケースから取り外して別の場所で使用するのは面倒であったのに対し、上記の構成を備えた収納ケースでは、このような不都合を解消することができる。
【００１１】
本発明の収納ケースは、上記収納本体を支持し、かつ、壁面に着脱可能な取付部材を更に備えることが好ましい。
この場合、収納ケースは、磁性体である金属パネル、例えば、琺瑯パネルなどで構成されたキッチンや洗面所などの壁面に取り付けて使用することができる。
【発明の効果】
【００１２】
本発明によれば、ティッシュ箱を縦向きにも横向きにも安定して収納することができる収納ケースを提供することができる。
【図面の簡単な説明】
【００１３】
【図１】本発明の第１実施形態に係る収納ケースの一例を示す斜視図である。
【図２】図１に示した収納ケースのＡ−Ａ′線断面図である。
【図３】図１に示した収納ケースのＢ−Ｂ′線断面図である。
【図４】図１に示した収納ケースの使用状態の一例を説明する斜視図である。
【図５】図１に示した収納ケースの使用状態の別の一例を説明する斜視図である。
【図６】（ａ）、（ｂ）はそれぞれ本発明の収納ケースの使用方法の別の一例を示す斜視図である。
【図７】（ａ）は、本発明の第２実施形態に係る収納ケースを示す斜視図であり、（ｂ）は（ａ）の分解斜視図である。
【図８】図７（ｂ）に示した壁面用取付部材の背面図である。
【図９】図８に示した壁面用取付部材のＣ−Ｃ′線断面図である。
【発明を実施するための形態】
【００１４】
以下、図面を参照しながら本発明の実施形態に係る収納ケースを説明する。
（第１実施形態）
図１は、本発明の実施形態に係る収納ケースの一例を示す斜視図である。図２は、図１に示した収納ケースのＡ−Ａ線断面図である。図３は、図１に示したラックのＢ−Ｂ線断面図である。
図１に示すように、収納ケース１００は、上方が開口した箱状の収納本体１１０と、収納本体１１０の内部に配設された板状の仕切り部材１２０とを備える。
収納本体１１０は、平面視矩形状の底板１１１と、高さ寸法の相対的に高い２枚の側壁（以下、高側壁ともいう）１１２（１１２ａ、１１２ｂ）及び高さ寸法の相対的に低い２枚の側壁（以下、低側壁ともいう）１１３（１１３ａ、１１３ｂ）とからなる。
【００１５】
高側壁１１２ａ、１１２ｂは、互いに平行に配置されており。低側壁１１３ａ、１１３ｂもまた互いに平行に配置されている。ここで、高側壁１１２（１１２ａ、１１２ｂ）の高さ寸法は、低側壁１１３（１１３ａ、１１３ｂ）の高さ寸法に比べて相対的に高くなっている。
【００１６】
低側壁１１３ａ、１１３ｂの内壁のそれぞれには、複数本の溝部１１４が上下方向に形成されている。この溝部１１４には、仕切り部材１２０の側縁部１２１が嵌合され、これにより仕切り部材１２０が収納本体１１０内の所定の位置に配設される。
また、収納本体１１０では、一組の低側壁１１３における側壁間の距離（低側壁１１３ａと低側壁１１３ｂとの間隔）が、収納するティッシュ箱の底面短辺の長さよりも長く、かつ、上記ティッシュ箱の底面長辺の長さよりも短くなっている。これにより、ティッシュ箱を縦向きにも横向きにも収納することができる。
【００１７】
仕切り部材１２０は、板状体からなる部材であり、その上面視形状は湾曲した形状を有している。仕切り部材１２０は、ティッシュ箱を収納するための領域側に凸の面が向くように収納本体１１０内に配設される。
このような湾曲した形状の仕切り部材１２０を使用すると、仕切り部材１２０によって、収納されたティッシュ箱を側壁１１２ａ側に押し付けることができるため、収納本体１１０内でティッシュ箱が動きにくくなり、より安定してティッシュ箱を収納することができる。
【００１８】
次に、収納ケース１００の使用状態について説明する。
図４は、図１に示した収納ケースの使用状態の一例を説明する斜視図であり、図５は、図１に示した収納ケースの使用状態の別の一例を説明する斜視図である。
収納ケース１００は、ティッシュ箱１０を縦向きにも横向きにも収納することができる。
【００１９】
ティッシュ箱１０を収納ケース１００に縦向きに収納する場合には、図４に示すように、ティッシュ箱１０の短手側の側面１０Ａ（図５参照）が、収納本体１１０の底板１１１で支持されるように、ティッシュ箱１０の一部を収納本体１１０内に収容すればよい。
このとき、仕切り部材１２０の配設位置を、手前側の高側壁１１２ａと仕切り部材１２０との間隔がティッシュ箱１０の高さ寸法と一致するように調整する。これにより、ティッシュ箱１０を収納ケース１００に安定して収納することができる。
【００２０】
一方、ティッシュ箱１０を収納ケース１００に横向きに収納する場合には、図５に示すように、ティッシュ箱１０の長手側の側面１０Ｂが低側壁１１３ａ、１１３ｂの上面で支持されるようにティッシュ箱１０を載置すればよい。このときも、仕切り部材１２０の配設位置を、手前側の高側壁１１２ａと仕切り部材１２０との間隔がティッシュ箱１０の高さ寸法と一致するように調整することにより、ティッシュ箱１０を収納ケース１００に安定して収納することができる。
【００２１】
収納ケース１００では、高側壁１１２の高さ（底板１１１の上面からの高さ）が、ティッシュ箱１０の上面短辺からティッシュ箱１０の取り出し口１１までの距離Ｌ１（図５参照）より短くなっている。この場合、ティッシュ箱１０を縦向きに収納した際に、ティッシュ箱１０の取り出し口１１が、高側壁１１２ａで塞がれることがない。そのため、ティッシュ箱１０が使用中のティッシュ箱であっても、容易にティッシュ箱１０を収納ケース１００から取り出すことができる。
【００２２】
更に、収納ケース１００では、高側壁１１２の高さと低側壁１１３の高さ（底板１１１の上面からの高さ）との差が、ティッシュ箱１０の上面長辺からティッシュの取り出し口１１までの距離Ｌ２（図５参照）より短くなっている。この場合、ティッシュ箱１０を横向きに収納した際に、ティッシュ箱１０の取り出し口１１が、高側壁１１２ａで塞がれることがないため、ティッシュ箱１０が使用中のティッシュ箱であっても、容易にティッシュ箱１０を収納ケース１００から取り出すことができる。
【００２３】
収納ケース１００は、上述したようにティッシュ箱を収納するのに適した構成を有しているものの、収納ケース１００はティッシュ箱の物品にも使用することができる。
図６（ａ）、（ｂ）はそれぞれ本発明の収納ケースの使用方法の別の一例を示す斜視図である。
収納ケース１００は、例えば、図６（ａ）に示すように、調味料２０ａ〜２０ｃ等のティッシュ箱以外の物品を底板１１１に載置して収納することができる。
また、収納ケース１００は、例えば、図６（ｂ）に示すように、低側壁１１３ａ、１１３ｂの上面で本３０を支持することにより、書見台（ブックスタンド）として使用することもできる。このとき、仕切り部材１２０の配設位置を調節することにより、本３０の傾きを調節することができる。
このような収納ケース１００は、例えば、机の上や、キッチンカウンターの上等に載置して使用する。
【００２４】
（第２実施形態）
第１実施形態に係る収納ケース１００は、通常、机やキッチンカウンターの上に載置して使用するものであるが、本発明の実施形態に係る収納ケースは壁面に取り付けて使用することもできる。
本実施形態に係る収納ケースは、収納本体を支持し、かつ、壁面に着脱可能な壁面用取付部材を更に備えている。
図７は、（ａ）は、本発明の第２実施形態に係る収納ケースを示す斜視図であり、（ｂ）は（ａ）の分解斜視図である。図８は、図７（ｂ）に示した壁面用取付部材の背面図である。図９は、図８に示した壁面用取付部材のＣ−Ｃ′線断面図である。
【００２５】
図７〜９に示すように、収納ケース２００は、収納本体２１０と、収納本体の内部に配設された板状の仕切り部材２２０と、収納本体２１０の下部が嵌め込まれ、収納本体を支持することができる壁面用取付部材２３０とからなる。
収納本体２１０は、第１実施形態における収納本体１１０と同様、上方が開口した箱状を有し、平面視矩形状の底板２１１と、互いに平行に配置された２枚の高側壁２１２（２１２ａ、２１２ｂ）及び互いに平行に配置された２枚の低側壁２１３（２１３ａ、２１３ｂ）とからなり、低側壁２１３ａ、２１３ｂの内壁のそれぞれには、複数本の溝部２１４が上下方向に形成されている。
また、収納本体２１０では、一組の低側壁２１３における側壁間の距離が、収納するティッシュ箱の底面短辺の長さよりも長く、かつ、上記ティッシュ箱の底面長辺の長さよりも短くなっている。
一方、収納本体２１０は、第１実施形態における収納本体１１０と異なり、その下部（低側壁２１３の上面より下の部分、図中２１０Ａ参照）が壁面用取付部材と嵌合するように、高側壁２１２及び低側壁２１３のそれぞれの下部の壁厚を薄くしている。そのため、高側壁２１２及び低側壁２１３の外壁には、段差が形成されている。
仕切り部材２２０は、第１実施形態における仕切り部材１２０と同様の部材である。
【００２６】
壁面用取付部材２３０は、取付ベース３１０と取付ベース３１０に固定された取付フレーム３２０とからなる。
取付ベース３１０は、取付ベース３１０を壁面に着脱するための着脱面３１１を有し、着脱面３１１には、琺瑯パネルなどで構成されたキッチンや洗面所などの壁面（図示せず）に取付ベース３１０を着脱するための吸盤３１２及び磁石３１３が取り付けられている。
また、取付ベース３１０の着脱面３１１の下端縁部には、壁面に向かって（図９中、右側に向かって）突出する突起部３１４が形成されており、このような突起部３１４を設けることにより、使用時に取付フレーム３２０の上面が壁側から前端側に向かって上方に少し傾斜するようになる。そのため、壁面用取付部材２３０の使用時に、壁面用取付部材２３０の下方への耐荷重を大きくすることができる。
【００２７】
取付フレーム３２０は、４つの枠部３２１からなる矩形枠状を有し、１つの枠部３２１Ａが取付ベース３１０にネジ３１５で固定されている。
また、取付フレーム３２０の枠部３２１Ａの内壁には、収納本体２１０を支持するための掛止部３２３が枠部３２１Ａの長手方向に沿って設けられている。
また、取付フレーム３２０の前端側の枠部３２１Ｂの内壁には、枠部３２１Ｂの長手方向に沿って補強リブ３２４が設けられている。補強リブ３２４を設けることにより、使用時における取付フレーム３２０のたわみを抑制することができる。更に、補強リブ３２４は、収納本体２１０を支持するための掛止部としても機能する。
【００２８】
このような収納ケース２００では、収納本体２１０の下部が壁面用取付部材２３０に嵌め込まれ、壁面用取付部材２３０の取付フレーム３２０が備える掛止部３２３及び掛止部として機能する補強リブ３２４によって、収納本体２１０の各側壁２１２、２１３の外壁の段差部分が支持される。
収納ケース２００は、上述した通り、壁面に取り付けて使用することができる。
【００２９】
（他の実施形態）
上記収納ケースが備える仕切り部材は、必ずしも湾曲した形状を有している必要はなく、平板状であってもよい。
低側壁の内壁に形成される溝部の本数は特に限定されないが、通常、３〜１０本程度である。
上記収納ケースを構成する収納本体や仕切り部材、壁面用取付部材は、通常、樹脂製であるが、樹脂製に限定されず、木製や金属製等であってもよい。
【符号の説明】
【００３０】
１０  ティッシュ箱
１１  取り出し口
１００、２００  収納ケース
１１０、２１０  収納本体
１１１、２１１  底板
１１２、１１２ａ、１１２ｂ、２１２、２１２ａ、２１２ｂ  高側壁
１１３、１１３ａ、１１３ｂ、２１３、２１３ａ、２１３ｂ  低側壁
１１４、２１４  溝部
１２０、２２０  仕切り部材
１２１  側縁部
２３０  壁面用取付部材
３１０  取付ベース
３１１  着脱面
３１２  吸盤
３１３  磁石
３１４  突起部
３１５  ネジ
３２０  取付フレーム
３２１、３２１Ａ、３２１Ｂ  枠部
３２３  掛止部
３２４  補強リブ
【図１】
0006513526.tif 000002
【図２】
0006513526.tif 000003
【図３】
0006513526.tif 000004
【図４】
0006513526.tif 000005
【図５】
0006513526.tif 000006
【図６】
0006513526.tif 000007
【図７】
0006513526.tif 000008
【図８】
0006513526.tif 000009
【図９】
0006513526.tif 000010